(57)【要約】      （修正有）【課題】電気光学素子を駆動する各単位回路の構成を簡素化する。【解決手段】素子部内には複数のデータ線ＬXの各々の間に単位回路が配置される。複数の単位回路の各々は、電極と電極との間に電気光学物質を配置した電気光学素子Ｅを含む。複数の単位回路は、相隣接する単位回路と単位回路との回路組を単位として回路組ＣAと回路組ＣBとが交互に配列するように複数の回路組に区分される。データ線駆動回路は、単位回路の指定階調に応じた階調電圧ＶDをデータ線ＬXから単位回路の電極に供給し、単位回路の指定階調に応じた階調電圧ＶDをデータ線ＬXから単位回路の電極に供給し、単位回路と単位回路との間のデータ線ＬXに基準電圧ＶCOMを供給する階調設定動作を、各回路組ＣAについて期間ｈA内で実行し、各回路組ＣBについて期間ｈB内で実行する。【選択図】図７
2009276509.tif 000002
【特許請求の範囲】
【請求項１】
複数のデータ線の各々の間に単位回路を配置した素子部であって、前記複数の単位回路の各々が、第１電極および第２電極と両電極間の電圧に応じて光学的な特性が変化する電気光学物質とを含む電気光学素子と、当該単位回路の一方側のデータ線と前記第１電極との導通／非導通を制御する第１スイッチング素子と、当該単位回路の他方側のデータ線と前記第２電極との導通／非導通を制御する第２スイッチング素子とを含む素子部と、
相隣接する第１単位回路と第２単位回路との回路組を単位として第１回路組と第２回路組とが交互に配列するように前記複数の単位回路を区分した複数の回路組のうち、複数の第１回路組の各々における前記各単位回路の前記第１スイッチング素子と前記第２スイッチング素子とを第１期間にて導通させ、複数の第２回路組の各々における前記各単位回路の前記第１スイッチング素子と前記第２スイッチング素子とを前記第１期間とは相違する第２期間にて導通させる走査線駆動回路と、
前記第１単位回路の前記第１電極に導通したデータ線に当該第１単位回路の指定階調に応じた電圧を供給するとともに前記第２単位回路の前記第２電極に導通したデータ線に当該第２単位回路の指定階調に応じた電圧を供給し、かつ、前記第１単位回路と前記第２単位回路との間のデータ線に基準電圧を供給する階調設定動作を、前記複数の第１回路組の各々について前記第１期間にて実行し、前記複数の第２回路組の各々について前記第２期間にて実行するデータ線駆動回路と
を具備する電気光学装置。
【請求項２】
前記データ線駆動回路は、複数の入力端子からの入力信号を各データ線に分配することで、前記複数の第１回路組の各々に対する階調設定動作と前記複数の第２回路組の各々に対する階調設定動作とを時分割で順次に実行する分配回路を含む
請求項１の電気光学装置。
【請求項３】
前記データ線駆動回路は、前記複数の第１回路組の各々に対する階調設定動作を前記第１期間内にて順次に実行し、前記第１期間の経過後の前記第２期間内にて前記複数の第２回路組の各々に対する階調設定動作を順次に実行する
請求項１または請求項２の電気光学装置。
【請求項４】
前記データ線駆動回路は、前記各第２回路組における前記第１単位回路と前記第２単位回路との間のデータ線に対する出力を前記第１期間にてハイインピーダンス状態とし、前記各第１回路組における前記第１単位回路と前記第２単位回路との間のデータ線に対する出力を前記第２期間にてハイインピーダンス状態とする
請求項１から請求項３の何れかの電気光学装置。
【請求項５】
請求項１から請求項４の何れかの電気光学装置を具備する電子機器。
【請求項６】
複数のデータ線の各々の間に単位回路を配置した素子部であって、前記複数の単位回路の各々が、第１電極および第２電極と両電極間の電圧に応じて光学的な特性が変化する電気光学物質とを含む電気光学素子と、当該単位回路の一方側のデータ線と前記第１電極との導通／非導通を制御する第１スイッチング素子と、当該単位回路の他方側のデータ線と前記第２電極との導通／非導通を制御する第２スイッチング素子とを含む素子部を具備する電気光学装置の駆動方法において、
相隣接する第１単位回路と第２単位回路との回路組を単位として第１回路組と第２回路組とが交互に配列するように前記複数の単位回路を区分した複数の回路組のうち、複数の第１回路組の各々における前記各単位回路の前記第１スイッチング素子と前記第２スイッチング素子とを第１期間にて導通させ、複数の第２回路組の各々における前記各単位回路の前記第１スイッチング素子と前記第２スイッチング素子とを前記第１期間とは相違する第２期間にて導通させる一方、
前記第１単位回路の前記第１電極に導通したデータ線に当該第１単位回路の指定階調に応じた電圧を供給するとともに前記第２単位回路の前記第２電極に導通したデータ線に当該第２単位回路の指定階調に応じた電圧を供給し、かつ、前記第１単位回路と前記第２単位回路との間のデータ線に基準電圧を供給する階調設定動作を、前記複数の第１回路組の各々について前記第１期間にて実行し、前記複数の第２回路組の各々について前記第２期間にて実行する
電気光学装置の駆動方法。
【発明の詳細な説明】
【技術分野】
【０００１】
本発明は、電気的な作用に応じて光学的な特性が変化する電気光学物質（例えば液晶）を制御する技術に関する。
【背景技術】
【０００２】
特許文献１には、図１３に示すように、Ｙ方向に沿った複数の単位回路（画素回路）ｐの配列毎に２本のデータ線ＬX（ＬX1，ＬX2）を形成した電気光学装置が開示されている。各単位回路ｐは、電気光学物質（例えば液晶）ＬCに電圧を印加する電極ｅ1と電極ｅ2とを含む。第１期間においては、単位回路ｐに指定された階調に応じた電圧（以下「階調電圧」という）がデータ線ＬX1からスイッチング素子Ｑ1を介して電極ｅ1に印加されるとともに所定の基準電圧がデータ線ＬX2からスイッチング素子Ｑ2を介して電極ｅ2に印加される。第１期間の経過後の第２期間においては、基準電圧がデータ線ＬX1からスイッチング素子Ｑ1を介して電極ｅ1に印加されるとともに階調電圧がデータ線ＬX2からスイッチング素子Ｑ2を介して電極ｅ2に印加される。また、特許文献１には、図１４に示すように、Ｘ方向に相隣接する２個の単位回路ｐにおいてデータ線ＬXを共用する構成も開示されている。第１期間においては、各単位回路ｐのスイッチング素子Ｑ1aおよびスイッチング素子Ｑ1bがオン状態に制御され、第２期間においては、各単位回路ｐのスイッチング素子Ｑ2aおよびスイッチング素子Ｑ2bがオン状態に制御される。
【特許文献１】特開２００８−６５３０８号公報
【発明の開示】
【発明が解決しようとする課題】
【０００３】
しかし、図１３の構成では、Ｙ方向に沿った複数の単位回路ｐの配列毎に２本のデータ線ＬX（ＬX1，ＬX2）が必要であり、図１４の構成では、単位回路ｐ毎に４個のスイッチング素子が必要である。したがって、単位回路ｐの構成の簡素化（さらには例えば高精細化や開口率の向上）が困難であるという問題がある。以上の事情を考慮して、本発明は、各単位回路の構成の簡素化をひとつの目的とする。
【課題を解決するための手段】
【０００４】
以上の課題を解決するために、本発明に係る電気光学装置は、複数のデータ線の各々の間に単位回路を配置した素子部であって、複数の単位回路の各々が、第１電極および第２電極と両電極間の電圧に応じて光学的な特性が変化する電気光学物質とを含む電気光学素子と、当該単位回路の一方側のデータ線と第１電極との導通／非導通を制御する第１スイッチング素子と、当該単位回路の他方側のデータ線と第２電極との導通／非導通を制御する第２スイッチング素子とを含む素子部と、相隣接する第１単位回路（例えば図２や図３の単位回路Ｐ1）と第２単位回路（例えば図２や図３の単位回路Ｐ2）との回路組を単位として第１回路組（例えば図２や図３の回路組ＣA）と第２回路組（例えば図２や図３の回路組ＣB）とが交互に配列するように複数の単位回路を区分した複数の回路組のうち、複数の第１回路組の各々における各単位回路の第１スイッチング素子と第２スイッチング素子とを第１期間（例えば図４の期間ｈAや図８の期間ａ[1]〜ａ[3]）にて導通させ、複数の第２回路組の各々における各単位回路の第１スイッチング素子と第２スイッチング素子とを第１期間とは相違する第２期間（例えば図４の期間ｈBや図８の期間ｂ[1]〜ｂ[3]）にて導通させる走査線駆動回路と、第１単位回路の第１電極に導通したデータ線に当該第１単位回路の指定階調に応じた電圧を供給するとともに第２単位回路の第２電極に導通したデータ線に当該第２単位回路の指定階調に応じた電圧を供給し、かつ、第１単位回路と第２単位回路との間のデータ線に基準電圧を供給する階調設定動作を、複数の第１回路組の各々について第１期間にて実行し、複数の第２回路組の各々について第２期間にて実行するデータ線駆動回路とを具備する。
【０００５】
以上の構成においては、第１回路組に対する階調設定動作と第２回路組に対する階調設定動作とが別個の期間（第１期間，第２期間）にて実行されるから、相隣接する２個の単位回路における電気光学素子の階調の指定に１本のデータ線を共用することが可能である。したがって、図１３の構成と比較してデータ線の本数が削減されるという利点がある。また、各単位回路に対する基準電圧の供給にデータ線が使用されるから、図１４の構成と比較して単位回路Ｐのスイッチング素子の個数を削減することが可能である。以上のように本発明によれば、各単位回路（素子部）の構成を簡素化することができる。
【０００６】
本発明の好適な態様において、データ線駆動回路は、複数の入力端子からの入力信号を各データ線に分配することで、複数の第１回路組の各々に対する階調設定動作と複数の第２回路組の各々に対する階調設定動作とを時分割で順次に実行する分配回路を含む。以上の態様においては、複数の入力端子からの入力信号が各データ線に時分割で分配されるから、データ線毎に個別に生成された入力信号が外部から供給される構成と比較して、データ線駆動回路（分配回路）の端子数を削減できるという利点がある。
【０００７】
本発明の好適な態様において、データ線駆動回路は、複数の第１回路組の各々に対する階調設定動作を第１期間（例えば図４の期間ｈA）内にて順次に実行し、第１期間の経過後の第２期間（例えば図４の期間ｈB）内にて複数の第２回路組の各々に対する階調設定動作を順次に実行する。以上の構成においては、各第１回路組に対する階調設定動作が第１期間にて連続に実行され、各第２回路組に対する階調設定動作が第２期間にて連続に実行されるから、ひとつの第１回路組に対する階調設定動作とひとつの第２回路組に対する階調設定動作とが交互に実行される構成（例えば第２実施形態）と比較して、データ線の寄生容量に起因した電気光学素子の電圧（階調）の誤差が低減されるという利点がある。
【０００８】
本発明の好適な態様において、データ線駆動回路は、各第２回路組における第１単位回路と第２単位回路との間のデータ線に対する出力を第１期間にてハイインピーダンス状態とし、各第１回路組における第１単位回路と第２単位回路との間のデータ線に対する出力を第２期間にてハイインピーダンス状態とする。以上の構成においては、指定階調に応じた電圧や基準電圧の供給に使用されないデータ線がハイインピーダンス状態に設定されるから、データ線駆動回路からの出力数が削減される（さらにはデータ線駆動回路の構成が簡素化される）という利点がある。
【０００９】
本発明に係る電気光学装置は各種の電子機器に利用される。電子機器の典型例は、電気光学装置を表示装置として利用した機器である。本発明に係る電子機器としてはパーソナルコンピュータや携帯電話機が例示される。
【００１０】
本発明は、以上の各態様に係る電気光学装置を駆動する方法としても特定される。本発明に係る駆動方法は、相隣接する第１単位回路と第２単位回路との回路組を単位として第１回路組と第２回路組とが交互に配列するように複数の単位回路を区分した複数の回路組のうち、複数の第１回路組の各々における各単位回路の第１スイッチング素子と第２スイッチング素子とを第１期間にて導通させ、複数の第２回路組の各々における各単位回路の第１スイッチング素子と第２スイッチング素子とを第１期間とは相違する第２期間にて導通させる一方、第１単位回路の第１電極に導通したデータ線に当該第１単位回路の指定階調に応じた電圧を供給するとともに第２単位回路の第２電極に導通したデータ線に当該第２単位回路の指定階調に応じた電圧を供給し、かつ、第１単位回路と第２単位回路との間のデータ線に基準電圧を供給する階調設定動作を、複数の第１回路組の各々について第１期間にて実行し、複数の第２回路組の各々について第２期間にて実行する。以上の方法によれば、本発明の電気光学装置と同様の作用および効果が奏される。
【発明を実施するための最良の形態】
【００１１】
＜Ａ：第１実施形態＞
図１は、本発明の第１実施形態に係る電気光学装置のブロック図である。図１に示すように、電気光学装置１００は、複数の単位回路（画素回路）Ｐが平面状に配列された素子部１０と、各単位回路Ｐを駆動するための走査線駆動回路２０およびデータ線駆動回路３０と、走査線駆動回路２０およびデータ線駆動回路３０を制御する制御回路４０とを具備する。
【００１２】
素子部１０には、Ｘ方向に延在するｍ本の走査線ＬA（ＬA[1]〜ＬA[m]）およびｍ本の走査線ＬB（ＬB[1]〜ＬB[m]）と、Ｘ方向に交差するＹ方向に延在する複数のデータ線ＬXとが形成される（ｍは自然数）。複数の単位回路Ｐは、走査線ＬAおよび走査線ＬBの対とデータ線ＬXとの各交差に対応して行列状に配列する。すなわち、図１に示すように、Ｙ方向に配列するｍ個の単位回路Ｐの集合が複数のデータ線ＬXの各々の間に配置される。したがって、Ｘ方向に相隣接する各単位回路Ｐの間には１本のデータ線ＬXが介在する。
【００１３】
図１に示すように、素子部１０内の複数のデータ線ＬXは１２本を単位としてＮ個のブロックＢ（Ｂ1〜ＢN）に区分される。図２は、素子部１０における第ｎ番目（ｎ＝１〜Ｎ）のブロックＢnを拡大したブロック図である。図２に示すように、ｍ行の各々に対応する複数の単位回路Ｐは、Ｘ方向に相隣接する２個の単位回路Ｐ（Ｐ1，Ｐ2）を単位として複数の回路組Ｃ（ＣA，ＣB）に区分される。各行内においてひとつのブロックＢnに対応する６個の回路組Ｃは、Ｘ方向に交互に配列する３個の回路組ＣA（ＣA[1]〜ＣA[3]）と回路組ＣB（ＣB[1]〜ＣB[3]）とに区別される。各回路組ＣA（ＣA[1]〜ＣA[3]）は奇数番目の回路組Ｃであり、各回路組ＣB（ＣB[1]〜ＣB[3]）は偶数番目の回路組Ｃである。回路組ＣA[1]について図２に例示するように、ひとつの回路組Ｃ（ＣA，ＣB）に着目した場合に、当該回路組Ｃの単位回路Ｐ1側（回路組Ｃに対してＸ方向の負側）に位置するデータ線ＬXを「データ線ＬX_A」と表記し、単位回路Ｐ2側（回路組Ｃに対してＸ方向の正側）に位置するデータ線ＬXを「データ線ＬX_C」と表記し、単位回路Ｐ1と単位回路Ｐ2との間のデータ線ＬXを「データ線ＬX_B」と表記する場合がある。
【００１４】
図３は、各単位回路Ｐの回路図である。図３においては第ｉ行（ｉ＝１〜ｍ）に属する回路組ＣA[k]（ｋ＝１〜３）の２個の単位回路Ｐ（Ｐ1，Ｐ2）と第ｉ行に属する回路組ＣB[k]の２個の単位回路Ｐ（Ｐ1，Ｐ2）とが代表的に図示されている。図３に示すように、各単位回路Ｐ（Ｐ1，Ｐ2）は、電気光学素子Ｅとスイッチング素子Ｑ1とスイッチング素子Ｑ2とを含む。
【００１５】
電気光学素子Ｅは、電極ｅ1および電極ｅ2と、両電極間の電圧（電界）に応じて透過率が変化する電気光学物質ＬCとで構成される。電気光学物質ＬCは例えば液晶である。相互に間隔をあけて対向する第１基板６０（図１）と第２基板（図示略）との間隙に液晶が封止され、第１基板６０のうち第２基板との対向面に電極ｅ1と電極ｅ2とが形成される。
【００１６】
第ｊ列目（ｊは自然数）の単位回路Ｐのスイッチング素子Ｑ1は、当該単位回路Ｐの電気光学素子Ｅの電極ｅ1と第ｊ列目のデータ線ＬXとの間に介在して両者の電気的な接続（導通／非導通）を制御する。一方、第ｊ列目の単位回路Ｐのスイッチング素子Ｑ2は、当該単位回路Ｐの電気光学素子Ｅの電極ｅ2と第(j+1)列目のデータ線ＬXとの間に介在して両者の電気的な接続（導通／非導通）を制御する。例えば電極ｅ1や電極ｅ2とともに第１基板６０上に形成された薄膜トランジスタがスイッチング素子Ｑ1およびスイッチング素子Ｑ2として好適に採用される。なお、スイッチング素子Ｑ1およびスイッチング素子Ｑ2の導電型は任意である。
【００１７】
電気光学素子Ｅの電極ｅ1と電極ｅ2との間（スイッチング素子Ｑ1とスイッチング素子Ｑ2との間）には容量素子Ｃ1が介在する。また、電極ｅ1と定電位線（接地線）１５との間には容量素子Ｃ2が介在し、電極ｅ2と定電位線１５との間には容量素子Ｃ3が介在する。容量素子（Ｃ1，Ｃ2，Ｃ3）は、電気光学素子Ｅの電極ｅ1と電極ｅ2との間の電圧を保持する。単位回路Ｐの各部の寄生容量を容量素子（Ｃ1，Ｃ2，Ｃ3）として利用した構成や容量素子（Ｃ1，Ｃ2，Ｃ3）を省略した構成も採用される。
【００１８】
図２および図３に示すように、第ｉ行の各回路組ＣA[k]における２個の単位回路Ｐ（Ｐ1，Ｐ2）のスイッチング素子Ｑ1およびスイッチング素子Ｑ2のゲートは第ｉ行目の走査線ＬA[i]に対して共通に接続される。一方、第ｉ行の各回路組ＣB[k]における２個の単位回路Ｐ（Ｐ1，Ｐ2）のスイッチング素子Ｑ1およびスイッチング素子Ｑ2のゲートは第ｉ行目の走査線ＬB[i]に対して共通に接続される。
【００１９】
図１の走査線駆動回路２０は、ｍ系統の走査信号ＧA（ＧA[1]〜ＧA[m]）の出力でｍ本の走査線ＬA（ＬA[1]〜ＬA[m]）の各々を順次に選択するとともに、ｍ系統の走査信号ＧB（ＧB[1]〜ＧB[m]）の出力でｍ本の走査線ＬB（ＬB[1]〜ＬB[m]）の各々を順次に選択する。走査線ＬA[i]および走査線ＬB[i]の選択は各垂直走査期間内の単位期間（水平走査期間）Ｈ毎に実行される。図４に示すように、各単位期間Ｈは、前半の期間ｈAと後半の期間ｈBとに区分（２等分）される。走査線駆動回路２０は、第ｉ行目の走査線ＬA[i]に供給する走査信号ＧA[i]を垂直走査期間内の第ｉ番目の単位期間Ｈの期間ｈAにてアクティブレベル（走査線ＬA[i]の選択を意味するレベル）に設定するとともに当該期間ｈA以外の期間にて非アクティブレベルに設定する。第ｉ行目の走査線ＬB[i]に供給する走査信号ＧB[i]についても同様に、走査線駆動回路２０は、垂直走査期間内の第ｉ番目の単位期間Ｈの期間ｈBにてアクティブレベルに設定するとともに当該期間ｈB以外の期間にて非アクティブレベルに設定する。
【００２０】
走査線ＬA[i]の走査信号ＧA[i]が期間ｈAにてアクティブレベルに設定されると、第ｉ行の各回路組ＣA[k]における２個の単位回路Ｐ（Ｐ1，Ｐ2）のスイッチング素子Ｑ1およびスイッチング素子Ｑ2が同時にオン状態となる。したがって、各回路組ＣA[k]の単位回路Ｐ1においては、電気光学素子Ｅの電極ｅ1がデータ線ＬX_Aに導通するとともに電極ｅ2がデータ線ＬX_Bに導通し、各回路組ＣA[k]の単位回路Ｐ2においては、電気光学素子Ｅの電極ｅ1がデータ線ＬX_Bに導通するとともに電極ｅ2がデータ線ＬX_Cに導通する。一方、走査線ＬB[i]の走査信号ＧB[i]が期間ｈBにてアクティブレベルに設定されると、各回路組ＣBの２個の単位回路Ｐ（Ｐ1，Ｐ2）において同様の動作が実行される。
【００２１】
図１のデータ線駆動回路３０は、各データ線ＬXにデータ信号Ｓを供給する。データ信号Ｓは、各電気光学素子Ｅの階調を指定する電圧信号である。本形態のデータ線駆動回路３０は、各ブロックＢに対応するＮ個の分配回路３２（３２[1]〜３２[N]）を含む。
【００２２】
図５は、第ｎ番目のブロックＢnに対応した分配回路３２[n]の回路図である。本形態の分配回路３２[n]は、制御回路４０から３個の入力端子Ｔ（Ｔ1〜Ｔ3）に供給される３系統の入力信号ＳIN（ＳIN[1]〜ＳIN[3]）をブロックＢnの１２本のデータ線ＬXの各々に時分割で分配するデマルチプレクサである。図５に示すように、分配回路３２[n]は、３個のスイッチ群ＳA（ＳA[1]〜ＳA[3]）と３個のスイッチ群ＳB（ＳB[1]〜ＳB[3]）とを含む。
【００２３】
スイッチ群ＳA[k]（ｋ＝１〜３）は、ブロックＢn内の回路組ＣA[k]に対応する３本のデータ線ＬX（ＬX_A，ＬX_B，ＬX_C）と３個の入力端子Ｔ（Ｔ1〜Ｔ3）との間に介在する３個のスイッチＳＷ（ＳＷ1〜ＳＷ3）で構成される。例えば、スイッチ群ＳA[1]は、回路組ＣA[1]に対応するデータ線ＬX_A（ブロックＢn内の第１列目のデータ線ＬX）と入力端子Ｔ1との間に介在するスイッチＳＷ1と、回路組ＣA[1]に対応するデータ線ＬX_B（ブロックＢn内の第２列目のデータ線ＬX）と入力端子Ｔ2と間に介在するスイッチＳＷ2と、回路組ＣA[1]に対応するデータ線ＬX_C（ブロックＢn内の第３列目のデータ線ＬX）と入力端子Ｔ3との間に介在するスイッチＳＷ3とで構成される。
【００２４】
同様に、スイッチ群ＳB[k]は、回路組ＣB[k]に対応する３本のデータ線ＬX（ＬX_A，ＬX_B，ＬX_C）と３個の入力端子Ｔ（Ｔ1〜Ｔ3）との間に介在する３個のスイッチＳＷ（ＳＷ1〜ＳＷ3）で構成される。例えば、スイッチ群ＳB[1]は、回路組ＣB[1]に対応するデータ線ＬX_A（ブロックＢn内の第３列目のデータ線ＬX）と入力端子Ｔ1との間に介在するスイッチＳＷ1と、回路組ＣB[1]に対応するデータ線ＬX_B（ブロックＢn内の第４列目のデータ線ＬX）と入力端子Ｔ2との間に介在するスイッチＳＷ2と、回路組ＣB[1]に対応するデータ線ＬX_C（ブロックＢn内の第５列目のデータ線ＬX）と入力端子Ｔ3との間に介在するスイッチＳＷ3とで構成される。ただし、スイッチ群ＳB[3]のスイッチＳＷ3は、回路組ＣA[1]に対応するデータ線ＬX_A（第(n-1)番目のブロックＢn-1の回路組ＣB[3]に対応するデータ線ＬX_C）と入力端子Ｔ3との間に介在する。
【００２５】
Ｎ個の分配回路３２（３２[1]〜３２[N]）の各々には制御回路４０から制御信号ＲA（ＲA[1]〜ＲA[3]）と制御信号ＲB（ＲB[1]〜ＲB[3]）とが共通に供給される。制御信号ＲA[k]はスイッチ群ＳA[k]の３個のスイッチＳＷに供給され、制御信号ＲB[k]はスイッチ群ＳB[k]の３個のスイッチＳＷに供給される。図４に示すように、制御信号ＲA[1]〜ＲA[3]は、走査信号ＧA[i]がアクティブレベルとなる期間ｈAを３等分した期間ａ[1]〜ａ[3]にて順次にアクティブレベル（ハイレベル）となる。同様に、制御信号ＲB[1]〜ＲB[3]は、走査信号ＧB[i]がアクティブレベルとなる期間ｈBを３等分した期間ｂ[1]〜ｂ[3]にて順次にアクティブレベルとなる。
【００２６】
制御信号ＲA[k]がアクティブレベルに設定されるとスイッチ群ＳA[k]の３個のスイッチＳＷがオン状態に遷移するから、入力端子Ｔ1〜Ｔ3に供給される入力信号ＳIN[1]〜ＳIN[3]が、回路組ＣA[k]に対応する３本のデータ線ＬX（ＬX_A，ＬX_B，ＬX_C）にデータ信号Ｓとして出力される。同様に、制御信号ＲB[k]がアクティブレベルに設定されるとスイッチ群ＳB[k]の３個のスイッチＳＷがオン状態に遷移するから、入力端子Ｔ1〜Ｔ3に供給される入力信号ＳIN[1]〜ＳIN[3]が、回路組ＣB[k]に対応する３本のデータ線ＬX（ＬX_A，ＬX_B，ＬX_C）にデータ信号Ｓとして出力される。
【００２７】
次に、図６は、ひとつの回路組Ｃ（ここでは特に第ｉ行目の回路組ＣA[k]）における各単位回路Ｐ（Ｐ1，Ｐ2）の電気光学素子Ｅの階調を設定するための動作（以下「階調設定動作」という）を説明するための概念図である。
【００２８】
図６の部分(B)に示すように、期間ａ[k]においては、入力端子Ｔ1に供給される入力信号ＳIN[1]が回路組ＣA[k]の単位回路Ｐ1の指定階調に応じた階調電圧ＶD（ＶD1）に設定され、入力端子Ｔ2に供給される入力信号ＳIN[2]が基準電圧ＶCOMに設定され、入力端子Ｔ3に供給される入力信号ＳIN[3]が回路組ＣA[k]の単位回路Ｐ2の指定階調に応じた階調電圧ＶD（ＶD2）に設定される。所定の基準値に対する基準電圧ＶCOMの極性は単位期間Ｈ毎に反転する（ライン反転）。したがって、単位回路Ｐに供給される階調電圧ＶDは基準電圧ＶCOMの極性に応じて設定される。もっとも、基準電圧ＶCOMの極性を反転する周期は任意である。また、基準電圧ＶCOMを固定した構成も採用される。
【００２９】
期間ａ[k]においては制御信号ＲA[k]がアクティブレベルに設定されることでスイッチ群ＳA[k]の各スイッチＳＷ（ＳＷ1〜ＳＷ3）がオン状態となる。さらに、期間ａ[k]においては制御信号ＧA[i]がアクティブレベルに維持されることで回路組ＣA[k]の各単位回路Ｐ（Ｐ1，Ｐ2）におけるスイッチング素子Ｑ1およびスイッチング素子Ｑ2がオン状態に制御される。したがって、図６の部分(A)に示すように、階調電圧ＶD1のデータ信号Ｓ（入力信号ＳIN[1]）がスイッチ群ＳA[k]のスイッチＳＷ1とデータ線ＬX_Aとを介して回路組ＣA[k]の単位回路Ｐ1における電極ｅ1に供給され、階調電圧ＶD2のデータ信号Ｓ（入力信号ＳIN[3]）がスイッチ群ＳA[k]のスイッチＳＷ3とデータ線ＬX_Cとを介して回路組ＣA[k]の単位回路Ｐ2における電極ｅ2に供給され、基準電圧ＶCOMのデータ信号Ｓがスイッチ群ＳA[k]のスイッチＳＷ2とデータ線ＬX_Bとを介して回路組ＣA[k]における単位回路Ｐ1の電極ｅ2と単位回路Ｐ2の電極ｅ1とに供給される。
【００３０】
以上に例示したデータ信号Ｓの供給によって、単位回路Ｐ1の電気光学素子Ｅは、階調電圧ＶD1と基準電圧ＶCOMとの差分に応じた階調に制御され、単位回路Ｐ2の電気光学素子Ｅは、階調電圧ＶD2と基準電圧ＶCOMとの差分に応じた階調に制御される。なお、以上においては回路組ＣA[k]に対する階調設定動作を例示したが、回路組ＣB[k]に対する階調設定動作も同様の手順で実行される。
【００３１】
階調設定動作は回路組Ｃ毎に順次に実行される。図７の部分(A)は、期間ｈA内における階調設定動作を説明するための概念図であり、図７の部分(B)は、期間ｈBにおける階調設定動作を説明するための概念図である。図７の部分(A)および部分(B)においてはブロックＢn内の１２個の単位回路Ｐの各々の番号が括弧“< >”内に表記され、各データ線ＬXに供給されるデータ信号Ｓの階調電圧ＶDを意味する符号ＶDには当該データ信号Ｓの供給先となる単位回路Ｐの番号が付加されている。例えば、符号「ＶD1」は、ブロックＢn内における番号<１>の単位回路Ｐに供給されるデータ信号Ｓの階調電圧ＶDを意味する。
【００３２】
図７の部分(A)に示すように、走査信号ＧA[i]がアクティブレベルとなる期間ｈA内において、分配回路３２[n]は、ブロックＢn内の３個の回路組ＣA（ＣA[1]，ＣA[2]，ＣA[3]）の各々に対する階調設定動作を時分割で順次に実行する。すなわち、分配回路３２[n]は、期間ｈA内の期間ａ[1]にて回路組ＣA[1]の階調設定動作を実行し、期間ａ[2]にて回路組ＣA[2]の階調設定動作を実行し、期間ａ[3]にて回路組ＣA[3]の階調設定動作を実行する。したがって、第ｉ行に属する各回路組ＣAの単位回路Ｐ（Ｐ1，Ｐ2）について電気光学素子Ｅの階調が設定される。一方、期間ｈA内においてはスイッチ群ＳB（ＳB[1]〜ＳB[3]）の各スイッチＳＷがオフ状態に設定されるから、回路組ＣB（ＣB[1]，ＣB[2]，ＣB[3]）の単位回路Ｐ1と単位回路Ｐ2との間のデータ線ＬX（回路組ＣBに対応するデータ線ＬX_B）に対する出力はハイインピーダンス状態（図７の部分(A)の“Hi-Z”）に設定される。
【００３３】
図７の部分(B)に示すように、走査信号ＧB[i]がアクティブレベルとなる期間ｈB内において、分配回路３２[n]は、ブロックＢn内の３個の回路組ＣB（ＣB[1]，ＣB[2]，ＣB[3]）の各々に対する階調設定動作を時分割で順次に実行する。すなわち、分配回路３２[n]は、期間ｈB内の期間ｂ[1]にて回路組ＣB[1]の階調設定動作を実行し、期間ｂ[2]にて回路組ＣB[2]の階調設定動作を実行し、期間ｂ[3]にて回路組ＣB[3]の階調設定動作を実行する。なお、期間ｂ[3]においては、スイッチ群ＳB[3]のスイッチＳＷ3がオン状態に制御されることで、ブロックＢn-1内の回路組ＣB[3]における単位回路Ｐ2にデータ信号Ｓが供給される。一方、期間ｈBにおいてはスイッチ群ＳA（ＳA[1]〜ＳA[3]）の各スイッチＳＷはオフ状態に設定されるから、回路組ＣA（ＣA[1]，ＣA[2]，ＣA[3]）の単位回路Ｐ1と単位回路Ｐ2との間のデータ線ＬX（回路組ＣAに対応するデータ線ＬX_B）に対する出力はハイインピーダンス状態に設定される。
【００３４】
以上に説明したように、本形態においては、回路組ＣAに対する階調設定動作と回路組ＣBに対する階調設定動作とが別個の期間（ｈA，ｈB）にて実行されるから、相隣接する２個の単位回路Ｐ（Ｐ1，Ｐ2）に対するデータ信号Ｓの供給のために１本のデータ信号ＬXを共用することが可能である。したがって、Ｙ方向に配列する複数の単位回路Ｐの集合毎に個別に２本のデータ線（ＬX1，ＬX2）が必要となる図１３の構成と比較して、素子部１０におけるデータ線ＬXの本数が削減される。また、各単位回路Ｐに対する基準電圧ＶCOMの供給にデータ線ＬXが使用されるから、電気光学素子Ｅの電極ｅ1および電極ｅ2の各々と定電位線１５との間にスイッチング素子が必要となる図１４の構成と比較して、単位回路Ｐにおけるスイッチング素子の個数が削減される。以上のように本形態によれば、各単位回路Ｐ（素子部１０）の構成が簡素化されるという効果が実現される。
【００３５】
また、入力信号ＳIN[1]〜ＳIN[3]がブロックＢn内の１２本のデータ線ＬXにデータ信号Ｓとして時分割で分配されるから、各単位回路Ｐに供給されるデータ信号Ｓが個別に制御回路４０から供給される構成と比較して、各分配回路３２[n]における入力端子Ｔ（Ｔ1〜Ｔ3）の総数（制御回路４０との接続の点数）が削減されるという利点もある。さらに、回路組ＣAに対応したデータ線ＬX_Bに対する出力が期間ｈBにてハイインピーダンス状態に設定されるとともに回路組ＣBに対応したデータ線ＬX_Bに対する出力が期間ｈAにてハイインピーダンス状態に設定されるから、回路組ＣAに対応したデータ線ＬX_Bの電圧を期間ｈBにて固定する構成や回路組ＣBに対応したデータ線ＬX_Bの電圧を期間ｈAにて固定する構成と比較して、分配回路３２から同時に出力する信号の総数が削減される。したがって、データ線駆動回路３０（分配回路３２）の構成が簡素化されるという利点がある。
【００３６】
＜Ｂ：第２実施形態＞
次に、本発明の第２実施形態について説明する。なお、本形態において作用や機能が第１実施形態と同等である要素については、以上と同じ符号を付して各々の詳細な説明を適宜に省略する。
【００３７】
図８は、本形態に係る電気光学装置１００の動作を説明するための概念図である。第１実施形態における電気光学装置１００は、複数の回路組ＣA（ＣA[1]〜ＣA[3]）の各々に対する階調設定動作を連続の期間ｈA内で順次に実行し、期間ｈAの経過後の連続の期間ｈBにて複数の回路組ＣB（ＣB[1]〜ＣB[3]）の各々に対する階調設定動作を順次に実行した。本形態の電気光学装置１００は、ひとつの回路組ＣAに対する階調設定動作とひとつの回路組ＣBに対する階調設定動作とを交互に実行する。
【００３８】
図８に示すように、第ｉ番目の単位期間Ｈ内には、走査信号ＧA[i]がアクティブレベルとなる期間ａ[k]（ａ[1]〜ａ[3]）と走査信号ＧB[i]がアクティブレベルとなる期間ｂ[k]（ｂ[1]〜ｂ[3]）とが交互に配列する。各期間ａ[k]においては、制御信号ＲA[k]がアクティブレベルに設定されるから、データ線駆動回路３０は各回路組ＣA[k]に対する階調設定動作を実行する。一方、各期間ｂ[k]においては、制御信号ＲB[k]がアクティブレベルに設定されるから、データ線駆動回路３０は各回路組ＣB[k]に対する階調設定動作を実行する。すなわち、図８に示すように、Ｎ個のブロックＢ（Ｂ[1]〜Ｂ[N]）の各々について、回路組ＣA[1]→回路組ＣB[1]→回路組ＣA[2]→回路組ＣB[2]→回路組ＣA[3]→回路組ＣB[3]という順番で階調設定動作が実行される。以上の構成によっても第１実施形態と同様の効果が実現される。ただし、電気光学素子Ｅの階調を正確に制御するという観点からすると第２実施形態よりも第１実施形態のほうが有利である。第２実施形態の動作を例示する図９を参照して理由を説明する。
【００３９】
いま、回路組ＣA[1]の各単位回路Ｐ（Ｐ1，Ｐ2）における電極ｅ1および電極ｅ2の電圧が期間ａ[１]の階調設定動作で設定された状態を想定する。回路組ＣB[1]を対象として期間ｂ[1]にて実行される階調設定動作では、図９の部分(A)に示すように、回路組ＣB[1]の単位回路Ｐ1に接続された第ｊ列目のデータ線ＬXに当該単位回路Ｐ1の指定階調に応じた階調電圧ＶDのデータ信号Ｓが供給される。一方、各データ線ＬXには寄生容量Ｃsが付随する。したがって、期間ｂ[1]においては第ｊ列目のデータ線ＬXの寄生容量Ｃsに、階調電圧ＶDに応じた電荷が充電される。
【００４０】
期間ｂ[1]の直後の期間ａ[2]においては回路組ＣA[2]に対する階調設定動作が実行されるが、回路組ＣA[1]と回路組ＣA[2]とは共通の走査線ＬA[i]に接続されているから、期間ａ[2]においては回路組ＣA[1]内の各単位回路Ｐ（Ｐ1，Ｐ2）のスイッチング素子Ｑ1およびスイッチング素子Ｑ2もオン状態に制御される。したがって、期間ｂ[1]にて第ｊ番目のデータ線ＬXの寄生容量Ｃsに蓄積された電荷が回路組ＣA[1]の単位回路Ｐ2のスイッチング素子Ｑ2を経由して電極ｅ2に移動し、当該単位回路Ｐ2の電気光学素子Ｅの電圧が、期間ａ[1]にて設定された電圧から変化する。すなわち、電気光学素子Ｅの階調に誤差が発生する。一方、第１実施形態においては、複数の回路組ＣAに対する階調設定動作を期間ｈAにて連続に実行し、期間ｈAの経過後の期間ｈBにて複数の回路組ＣBに対する階調設定動作を連続に実行する。したがって、データ線ＬXの寄生容量Ｃsに起因した電気光学素子Ｅの階調の誤差が解消されるという利点がある。なお、寄生容量Ｃsからの電荷の移動に起因した電気光学素子Ｅの階調の変動が利用者に視認されない程度に微小であれば、第２実施形態のように回路組ＣAの階調設定動作と回路組ＣBの階調設定動作とを交互に実行する構成でも問題はない。
【００４１】
＜Ｃ：変形例＞
以上の各形態には様々な変形が加えられる。具体的な変形の態様を例示すれば以下の通りである。なお、以下の例示から２以上の態様を任意に選択して組合わせてもよい。
【００４２】
（１）変形例１  
以上の形態においては各ブロックＢn内の複数の回路組ＣA（ＣA[1]〜ＣA[3]）に対する階調設定動作を時分割で順次に実行するとともに複数の回路組ＣB（ＣB[1]〜ＣB[3]）に対する階調設定動作を時分割で順次に実行したが、ブロックＢn内の複数の回路組ＣA（ＣA[1]〜ＣA[3]）に対する階調設定動作を期間ｈAにて並列（同時）に実行する構成や、ブロックＢn内の複数の回路組ＣB（ＣB[1]〜ＣB[3]）に対する階調設定動作を期間ｈBにて並列に実行する構成も好適である。
【００４３】
以上の例示から理解されるように、回路組ＣAに対する階調設定動作と回路組ＣBに対する階調設定動作とが別個の期間（ｈA，ｈB）にて実行される構成が本発明においては好適に採用される。複数の回路組ＣAの各々（または複数の回路組ＣBの各々）に対する階調設定動作が時分割で実行されるか（第１実施形態）並列に実行されるか（本変形例）は本発明において不問である。さらに、回路組ＣAに対する階調設定動作の各期間ａ[k]が連続して期間ｈA内に配列するか（第１実施形態）回路組ＣBに対する階調設定動作の各期間ｂ[k]と交互に配列するか（第２実施形態）も本発明において不問である。
【００４４】
（２）変形例２  
本発明における電気光学物質ＬCは液晶に限定されない。電極ｅ1と電極ｅ2との間の電圧（電界）に応じて光学的な特性（透過率や輝度）が変化する特性を有する各種の物質が本発明における電気光学物質として採用される。
【００４５】
＜Ｄ：応用例＞
次に、本発明に係る電気光学装置を利用した電子機器について説明する。図１０ないし図１２には、以上に例示した何れかの形態に係る電気光学装置１００を表示装置として採用した電子機器の形態が図示されている。
【００４６】
図１０は、電気光学装置１００を採用したモバイル型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。電気光学装置１００は有機発光ダイオード素子を電気光学素子Ｅとして使用しているので、視野角が広く見易い画面を表示できる。
【００４７】
図１１は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００４８】
図１２は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００４９】
なお、本発明に係る電気光学装置が適用される電子機器としては、図１０から図１２に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、電子写真方式の画像形成装置において露光により感光体ドラムに潜像を形成する露光装置としても本発明の電気光学装置は利用される。
【図面の簡単な説明】
【００５０】
【図１】本発明の第１実施形態に係る電気光学装置のブロック図である。
【図２】素子部を部分的に拡大したブロック図である。
【図３】単位回路の回路図である。
【図４】電気光学装置の動作を説明するためのタイミングチャートである。
【図５】分配回路の回路図である。
【図６】ひとつの回路組に対する階調設定動作を説明するための概念図である。
【図７】各回路組に対する階調設定動作を説明するための概念図である。
【図８】本発明の第２実施形態に係る電気光学装置の動作を示すタイミングチャートである。
【図９】第１実施形態の利点を説明するための概念図である。
【図１０】電子機器の形態（パーソナルコンピュータ）を示す斜視図である。
【図１１】電子機器の形態（携帯電話機）を示す斜視図である。
【図１２】電子機器の形態（携帯情報端末）を示す斜視図である。
【図１３】従来の画素回路の回路図である。
【図１４】従来の画素回路の回路図である。
【符号の説明】
【００５１】
１００……電気光学装置、１０……素子部、２０……走査線駆動回路、３０……データ線駆動回路、３２[1]〜３２[N]……分配回路、４０……制御回路、ＬA（ＬA[1]〜ＬA[m]），ＬB（ＬB[1]〜ＬB[m]）……走査線、ＬX（ＬX_A．ＬX_B，ＬX_C）……データ線、Ｐ（Ｐ1，Ｐ2）……単位回路、Ｃ（ＣA[1]〜ＣA[3]，ＣB[1]〜ＣB[3]）……回路組、Ｑ1，Ｑ2……スイッチング素子、Ｅ……電気光学素子、ｅ1，ｅ2……電極、ＬC……電気光学物質。
【図１】
2009276509.tif 000003
【図２】
2009276509.tif 000004
【図３】
2009276509.tif 000005
【図４】
2009276509.tif 000006
【図５】
2009276509.tif 000007
【図６】
2009276509.tif 000008
【図７】
2009276509.tif 000009
【図８】
2009276509.tif 000010
【図９】
2009276509.tif 000011
【図１０】
2009276509.tif 000012
【図１１】
2009276509.tif 000013
【図１２】
2009276509.tif 000014
【図１３】
2009276509.tif 000015
【図１４】
2009276509.tif 000016